(57)【要約】【課題】使用者のライフスタイルの変化に対応して仕様を容易に変更できる家具を提供する。【解決手段】上部ユニット８と下部ユニット１０、または、上部ユニット８と脚ユニット９からなる家具であって、上部ユニット８の底面のフレーム８３には被係合部が設けられているとともに、下部ユニット１０および脚ユニット９の上面１０２には、被係合部と着脱可能に係合し得る係合部が形成されており、上部ユニット８に対し、下部ユニット１０と脚ユニット９のうち何れかを選択して取り付け、家具の仕様を容易に変更することができる。【選択図】図３
2012101002.tif 000002
【特許請求の範囲】
【請求項１】
上部ユニットと下部ユニット、または、上部ユニットと脚ユニット、からなる家具であって、
前記上部ユニットの底面のフレームには被係合部が設けられているとともに、
前記下部ユニットおよび前記脚ユニットの上面には、前記被係合部と着脱可能に係合し得る係合部が形成されている
ことを特徴とする家具。
【請求項２】
前記脚ユニットを構成する脚は、高さ調整可能なボルトと、該ボルトを覆蓋する着脱可能なカバーで構成されていることを特徴とする請求項１に記載の家具。
【請求項３】
底面のフレームに被係合部が設けられた上部ユニットに対し、
上面に係合部がそれぞれ形成された下部ユニットと脚ユニットのうち何れかを選択して
前記被係合部に前記係合部を係合させて仕様を変更させる
ことを特徴とする家具の仕様変更方法。
【発明の詳細な説明】
【技術分野】
【０００１】
本発明は、家具および家具の仕様変更方法に関するものである。
【背景技術】
【０００２】
従来、この種の家具として、特許文献１に開示されているように、脚部を有するフレーム上にキャビネットを据え付けた家具が存在する。
また、特許文献２に開示されているように、下ユニットの上に上ユニットを置いて構成した家具が存在する。
【先行技術文献】
【特許文献】
【０００３】
【特許文献１】特開２００６−２９６４４６号公報
【特許文献２】特開２００５−１４３８３０号公報
【発明の概要】
【発明が解決しようとする課題】
【０００４】
上記特許文献１に開示されている家具および上記引用文献２に開示されている家具においては、脚部を有するフレーム或いは下ユニットを、別のユニットに交換するという発想はなく、ライフスタイルに合わせて収納量を増やしたいような場合に、家具の仕様を変更することはできないものであった。
【課題を解決するための手段】
【０００５】
本発明は、ライフスタイルに合わせて仕様の変更ができる家具および家具の仕様変更方法の提供を目的とし、この目的の少なくとも一部を達成するために以下の手段を採った。
本発明は、上部ユニットと下部ユニット、または、上部ユニットと脚ユニット、からなる家具であって、
前記上部ユニットの底面のフレームには被係合部が設けられているとともに、
前記下部ユニットおよび前記脚ユニットの上面には、前記被係合部と着脱可能に係合し得る係合部が形成されていることを要旨とする。
【発明の効果】
【０００６】
本発明の家具では、上部ユニットの下部に脚ユニットが設けられている場合に、ライフスタイルに合わせて収納量を増やしたい場合等には、上部ユニットはそのままにして、上部ユニットの被係合部に下部ユニットの係合部を係合させて、上部ユニットの下部に下部ユニットを組み付けることができ、また、逆に、下部ユニットから脚ユニットに変更することもでき、家具の下部部分の取り換えが容易となり、ライフスタイルの変化に対応しやすいものとなる。
【０００７】
また、本発明の家具において、前記脚ユニットを構成する脚は、高さ調整可能なボルトと、該ボルトを覆蓋する着脱可能なカバーで構成されているものとすることもできる。
こうすれば、ボルトにより高さを調整した後に、カバーでボルトを覆蓋して、カバーを床面に当接させてボルトを隠すことができ、カバーにより意匠性が良好に保持されるものとなる。
【０００８】
また、本発明の家具の仕様変更方法は、底面のフレームに被係合部が設けられた上部ユニットに対し、
上面に係合部がそれぞれ形成された下部ユニットと脚ユニットのうち何れかを選択して
前記被係合部に前記係合部を係合させて仕様を変更させることを要旨とする。
【０００９】
本発明の家具の仕様変更方法では、上部ユニットの被係合部に対し、係合部を係合させることで、上部ユニットの下部に、下部ユニット或いは脚ユニットの何れかを選択して組み付けることができ、ライフスタイルの変化に対応して容易に家具の仕様を変更させることができるものとなる。
【図面の簡単な説明】
【００１０】
【図１】キッチンキャビネットの外観斜視図である。
【図２】キッチンキャビネットの骨組みを構成する、下部に脚ユニットが取り付けられた上部ユニットの斜視構成図である。
【図３】下部に下部ユニットが取り付けられた上部ユニットの斜視構成図である。
【図４】上部ユニットの斜視構成図である。
【図５】下部ユニットの斜視構成図である。
【図６】上部ユニットの端側の奥行き底フレームの拡大縦断面構成図である。
【図７】上部ユニットの中央部の奥行き底フレームの拡大縦断面構成図である。
【図８】下部ユニットの端側の奥行き上フレームの拡大縦断面構成図である。
【図９】下部ユニットの中央部の奥行き上フレームの拡大縦断面構成図である。
【図１０】上部ユニットの下部に下部ユニットを取り付けた状態の端側の拡大縦断面構成図である。
【図１１】上部ユニットの下部に下部ユニットを取り付けた状態の中央部の拡大縦断面構成図である。
【図１２】脚ユニットを構成する脚の斜視構成図である。
【図１３】図１２の正面構成図である。
【図１４】図１２の側面構成図である。
【図１５】脚の内部構造図である。
【図１６】脚を構成する部材の分解斜視図である。
【発明を実施するための形態】
【００１１】
次に、本発明を実施するための形態を実施例を用いて説明する。
図１には、家具の一例としてキッチンキャビネットを示す。
キッチンキャビネット１は、上面のカウンター２に、シンク３とコンロ４が設けられており、シンク３の後方には水栓５が立設されている。
また、キッチンキャビネット１の前面には扉６ａ，６ｂが設けられ、扉６ａ，６ｂの奥側は収納空間となっている。また、コンロ４の下方には引出し７が設けられている。
【００１２】
このキッチンキャビネット１の骨組みは、図２のような上部ユニット８で構成され、上部ユニット８の下部には、複数の脚９ａ，９ｂ，９ｃ，９ｄで構成された脚ユニット９が設けられている。
本例では、この脚ユニット９を取り外して、脚ユニット９の部分に、図３に示すように、下部ユニット１０を取り付けて仕様変更ができるように構成されている。
【００１３】
図４に拡大して示すように、この上部ユニット８は、４つのフレーム枠８ａ，８ｂ，８ｃ，８ｄを、複数本の横フレーム８ｅ，８ｅで連結したフレーム構造となっている。
各フレーム枠８ａ，８ｂ，８ｃ，８ｄは、前後一対の縦フレーム８１，８１の上端に、奥行き方向の奥行き上フレーム８２が連結され、一対の縦フレーム８１，８１の下端は、奥行き底フレーム８３で連結されて、各フレーム枠８ａ，８ｂ，８ｃ，８ｄはそれぞれ四角い枠状に形成されている。
【００１４】
また、下部ユニット１０は、図５に拡大して示す。
下部ユニット１０は、４個のフレーム枠１０ａ，１０ｂ，１０ｃ，１０ｄの底側に、前後一対の横フレーム１０ｅ，１０ｅが連結されたフレーム構造となっている。
各フレーム枠１０ａ，１０ｂ，１０ｃ，１０ｄは、前後一対の縦フレーム１０１，１０１と、縦フレーム１０１，１０１間に連結された、上面側の奥行き上フレーム１０２と、底側の奥行き底フレーム１０３で、長方形状の枠状にそれぞれ形成されたものである。
【００１５】
なお、図６には、上部ユニット８のフレーム枠８ａにおける奥行き底フレーム８３のＡ−Ａ線断面拡大図を示す。また、図７には、上部ユニット８のフレーム枠８ｂ，８ｃにおける奥行き底フレーム８３のＢ−Ｂ線拡大断面図を示す。
【００１６】
図６および図７に示すように、奥行き底フレーム８３の本体８３ａの底側には、水平方向に延びて、底板を載置するための底板載置片８３ｂが一体形成され、この底板載置片８３ｂから下方へ垂下状に、一対の垂下片８３ｃ，８３ｃが一体形成され、各垂下片８３ｃの下端には、水平に対向状に延びる水平片８３ｄ，８３ｄが一体形成されており、この底板載置片８３ｂと水平片８３ｄ，８３ｄ間に、凹状の被係合部８３ｅ，８３ｅが形成されている。
【００１７】
一方、図５に示した下部ユニット１０のフレーム枠１０ａにおける奥行き上フレーム１０２の断面を図８にＡ−Ａ線断面として拡大して示し、また、図９には、下部ユニット１０の中央のフレーム枠１０ｂ，１０ｃにおける奥行き上フレーム１０２の断面をＢ−Ｂ線断面として拡大して示す。
【００１８】
下部ユニット１０の奥行き上フレーム１０２のフレーム本体１０２ａの上面には、上方へ立ち上げて立上片１０２ｂが一体形成され、この立上片１０２ｂの上端に、水平に延びる係合部１０２ｃが一体状に突出されており、係合部１０２ｃとフレーム本体１０２ａ間には溝１０２ｄ，１０２ｄが形成されている。
この溝１０２ｄ，１０２ｄ内に、前述した上部ユニット８の水平片８３ｄが係入可能であり、係入された状態では、下部ユニットの係合片１０２ｃ，１０２ｃが上部ユニット８の被係合部８３ｅ，８３ｅ内に係合されるように構成されている。
【００１９】
即ち、上部ユニット８はキッチンの壁面に固定状に取り付けられており、この上部ユニット８に対して、脚ユニット９を取り外した後に、下部ユニット１０を前方側から奥側へ押し込んで、上部ユニット８の被係合部８３ｅ，８３ｅ内に下部ユニットの係合部１０２ｃ，１０２ｃをスライドさせて係合させてゆくことで、下部ユニット１０を上部ユニット８の下部に良好に連結することができるものである。
この連結状態は、図１０にフレーム枠１０ａの連結状態として、また、図１１にフレーム枠１０ｂ，１０ｃの連結状態として示す。
【００２０】
なお、上部ユニット８に対し後発的に下部ユニット１０を連結した時には、図３に示すように、下部ユニット１０の底側に複数のアジャスタボルト１１を設けて、アジャスタボルト１１をキッチンの床面に当接させ、下部ユニット１０の支持強化を図ることができるものである。
このように、脚ユニット９に換えて下部ユニット１０を上部ユニット８に連結することにより、下部ユニット１０内には、前方側へ引き出し可能に３個の引出しを設けることができるため、３個の引出しにより収納量を増やすことができ、ライフスタイルに合わせて下部ユニット１０を取り付けて収納量を増やすことができるものとなる。
【００２１】
なお、逆に、下部ユニット１０から脚ユニット９に変更することも可能であり、ライフスタイルに合わせてキッチンキャビネット１の仕様を容易に変更させることができるものである。
なお、脚ユニット９を構成する各脚９ａ，９ｂ，９ｃ，９ｄも、上部ユニット８の被係合部８３ｅ，８３ｅに係合可能な係合部９２ｃ，９２ｃを備えている。
【００２２】
脚９ｂを例にとって、脚の構造を以下に説明する。
脚９ｂは図１２の斜視図で示すような外観形状となっており、図１３は、脚９ｂの正面図であり、図１４は、脚９ｂの側面図である。また、図１５は、脚９ｂの内部構造を示す縦断面構成図であり、図１６は、脚９ｂの構成部材の分解斜視図である。
【００２３】
脚９ｂは、ボルト９１と、このボルト９１の上端に連結される上端部材９２と、ボルト９１の下端に連結される下端部材９３と、ボルト９１を覆蓋するコの字状断面のコの字カバー９７と、Ｉ字状断面のＩ字カバー９８で構成されている。
上端部材９２には、中央部に上下に貫通してボルト９１が通るボルト孔９２ａが形成されており、上面の幅方向両端側には凹み状に溝９２ｂ，９２ｂが形成されて、その上方が外方へ突出する係合部９２ｃ，９２ｃとなっており、この係合部９２ｃ，９２ｃが、前述した上部ユニット８の被係合部８３ｅ，８３ｅに係合されるものである。
上端部材９２の下部部位には、一対の爪片９２ｄが水平に形成されており、この爪片９２ｄの上にナット９４を配置させることができ、ボルト９１をこのナット９４に螺合させ、ボルト９１を回すことにより、ボルト９１を上下動させることができ、ボルト９１の上下調整を完了した後には、ロックナット９５を上端部材９２の爪片９２ｄの下面に締め付けてロックすることができるものである。
【００２４】
また、ボルト９１の下端に連結される下端部材９３にも、ボルト９１を通すボルト孔９３ａが上下に形成されており、下端部材９３の下面側の傾斜部９３ｂには、横長の長孔９３ｃが形成されている。
この下端部材９３は、ボルト９１を回すことによりキッチンの床面に当接されるものであり、ボルト９１を回して高さ調整した後に、ナット９５を締め付けて固定することができるものである。
なお、長孔９３ｃ内にビスを入れて、床面に下端部材９３を固定することもできるものである。
【００２５】
また、コの字カバー９７の上下端側には、縦方向に長い縦ビス孔９７ａが形成されており、この縦ビス孔９７ａ内にビス９９を入れ、上端部材９２，下端部材９３に形成されているタップ孔９２ｅ内にビス９９を締め付けることで、コの字カバー９７を上端部材９２，下端部材９３に固定することができるように構成されている。
コの字カバー９７には、縦方向に係止部９７ｂ，９７ｂが形成されており、この係止部９７ｂ，９７ｂに、係脱可能に係合できる係合片９８ａ，９８ａがＩ字カバー９８に形成されている。
【００２６】
従って、ボルト９１を回して高さ調整し、ロックナット９５，９６を締め付けた後に、ボルト９１の裏側からコの字カバー９７を被せ、コの字カバー９７の前面に、Ｉ字カバー９８を、係合片９８ａを係止部９７ｂに嵌め込んで連結することができ、コの字カバー９７およびＩ字カバー９８は、その下端を床面に当接させて、ボルト９１および下端部材９３をコの字カバー９７およびＩ字カバー９８で覆蓋して隠すことができるものである。
このように、カバー９７，９８によりボルト９１は隠されるため、すっきりとした外観となる。
なお、脚９ｂの上端の上端部材９２は、カバー９７，９８の上端に露出するが、本例の脚９ｂは、図２に示すように、上部ユニット８の底面の前方側から、ある距離奥側へ行ったところに固定されるため、この部分は極めて見えにくい部分であり、外観の意匠性が損なわれることはない。
【００２７】
なお、本例では、キッチンキャビネット１を例示しているが、キッチンキャビネット１に限らず、他の家具においても、上部ユニット８に対して、脚ユニット９或いは下部ユニット１０の何れかを選択して容易に取り換えることができるように構成することができ、ライフスタイルに合わせて収納量を増やしたい場合には、脚ユニット９に換えて下部ユニット１０を後発的に取り付けて、下部ユニット１０に引出しを設けて収納量を増やすことができるものである。
【符号の説明】
【００２８】
１  キッチンキャビネット（家具）
８  上部ユニット
８ａ，８ｂ，８ｃ，８ｄ  フレーム枠
８ｅ  横フレーム
９  脚ユニット
９ａ，９ｂ，９ｃ，９ｄ  脚
１０  下部ユニット
１０ａ，１０ｂ，１０ｃ，１０ｄ  フレーム枠
１０ｅ  横フレーム
８１  縦フレーム
８２  奥行き上フレーム
８３  奥行き底フレーム
８３ｃ  垂下片
８３ｄ  水平片
８３ｅ  被係合部
９１  ボルト
９２  上端部材
９２ａ  ボルト孔
９２ｂ  溝
９２ｃ  係合部
９２ｄ  爪片
９２ｅ  タップ孔
９３  下端部材
９３ａ  ボルト孔
９３ｃ  長孔
９４，９５，９６  ナット
９７  コの字カバー
９７ａ  縦ビス孔
９７ｂ  係止部
９８  Ｉ字カバー
９８ａ  係合片
９９  ビス
１０１  縦フレーム
１０２  奥行き上フレーム
１０２ａ  フレーム本体
１０２ｂ  立上片
１０２ｃ  係合片
１０２ｄ  溝
１０３  奥行き底フレーム
【図１】
2012101002.tif 000003
【図２】
2012101002.tif 000004
【図３】
2012101002.tif 000005
【図４】
2012101002.tif 000006
【図５】
2012101002.tif 000007
【図６】
2012101002.tif 000008
【図７】
2012101002.tif 000009
【図８】
2012101002.tif 000010
【図９】
2012101002.tif 000011
【図１０】
2012101002.tif 000012
【図１１】
2012101002.tif 000013
【図１２】
2012101002.tif 000014
【図１３】
2012101002.tif 000015
【図１４】
2012101002.tif 000016
【図１５】
2012101002.tif 000017
【図１６】
2012101002.tif 000018
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
上部ユニットにシンクと水栓を設けたキッチンキャビネットであって、
キッチンの壁面に固定されるとともに底面のフレームに被係合部が設けられた上部ユニットに対し、
上面に係合部がそれぞれ形成された下部ユニットと脚ユニットのうち何れかを選択して前記係合部を前記被係合部に係合した仕様から、前記下部ユニットまたは脚ユニットを前記上部ユニットから取り外した後に、
前記下部ユニットまたは脚ユニットの前記係合部を前記被係合部に前方側からスライドさせ係合させて、上部ユニットと脚ユニットからなるキッチンキャビネット、または、上部ユニットと下部ユニットからなるキッチンキャビネットに仕様を変更させる
ことを特徴とするキッチンキャビネットの仕様変更方法。
【手続補正２】
【補正対象書類名】明細書
【補正対象項目名】全文
【補正方法】変更
【補正の内容】
【発明の詳細な説明】
【技術分野】
【０００１】
本発明は、キッチンキャビネットの仕様変更方法に関するものである。
【背景技術】
【０００２】
従来、この種の家具として、特許文献１に開示されているように、脚部を有するフレーム上にキャビネットを据え付けた家具が存在する。
また、特許文献２に開示されているように、下ユニットの上に上ユニットを置いて構成した家具が存在する。
【先行技術文献】
【特許文献】
【０００３】
【特許文献１】特開２００６−２９６４４６号公報
【特許文献２】特開２００５−１４３８３０号公報
【発明の概要】
【発明が解決しようとする課題】
【０００４】
上記特許文献１に開示されている家具および上記引用文献２に開示されている家具においては、脚部を有するフレーム或いは下ユニットを、別のユニットに交換するという発想はなく、ライフスタイルに合わせて収納量を増やしたいような場合に、家具の仕様を変更することはできないものであった。
【課題を解決するための手段】
【０００５】
本発明は、ライフスタイルに合わせて仕様の変更ができるキッチンキャビネットの仕様変更方法の提供を目的とし、この目的の少なくとも一部を達成するために以下の手段を採った。
本発明のキッチンキャビネットの仕様変更方法は、
上部ユニットにシンクと水栓を設けたキッチンキャビネットであって、
キッチンの壁面に固定されるとともに底面のフレームに被係合部が設けられた上部ユニットに対し、
上面に係合部がそれぞれ形成された下部ユニットと脚ユニットのうち何れかを選択して前記係合部を前記被係合部に係合した仕様から、前記下部ユニットまたは脚ユニットを前記上部ユニットから取り外した後に、
前記下部ユニットまたは脚ユニットの前記係合部を前記被係合部に前方側からスライドさせ係合させて、上部ユニットと脚ユニットからなるキッチンキャビネット、または、上部ユニットと下部ユニットからなるキッチンキャビネットに仕様を変更させる
ことを要旨とする。
【発明の効果】
【０００６】
本発明のキッチンキャビネットの仕様変更方法では、上部ユニットの下部に脚ユニットが設けられている場合に、ライフスタイルに合わせて収納量を増やしたい場合等には、上部ユニットはそのままにして、上部ユニットの被係合部に下部ユニットの係合部を係合させて、上部ユニットの下部に下部ユニットを組み付けることができ、また、逆に、下部ユニットから脚ユニットに変更することもでき、キッチンキャビネットの下部部分の取り換えが容易となり、ライフスタイルの変化に対応して容易にキッチンキャビネットの仕様を変更させることができるものとなる。
【図面の簡単な説明】
【０００７】
【図１】キッチンキャビネットの外観斜視図である。
【図２】キッチンキャビネットの骨組みを構成する、下部に脚ユニットが取り付けられた上部ユニットの斜視構成図である。
【図３】下部に下部ユニットが取り付けられた上部ユニットの斜視構成図である。
【図４】上部ユニットの斜視構成図である。
【図５】下部ユニットの斜視構成図である。
【図６】上部ユニットの端側の奥行き底フレームの拡大縦断面構成図である。
【図７】上部ユニットの中央部の奥行き底フレームの拡大縦断面構成図である。
【図８】下部ユニットの端側の奥行き上フレームの拡大縦断面構成図である。
【図９】下部ユニットの中央部の奥行き上フレームの拡大縦断面構成図である。
【図１０】上部ユニットの下部に下部ユニットを取り付けた状態の端側の拡大縦断面構成図である。
【図１１】上部ユニットの下部に下部ユニットを取り付けた状態の中央部の拡大縦断面構成図である。
【図１２】脚ユニットを構成する脚の斜視構成図である。
【図１３】図１２の正面構成図である。
【図１４】図１２の側面構成図である。
【図１５】脚の内部構造図である。
【図１６】脚を構成する部材の分解斜視図である。
【発明を実施するための形態】
【０００８】
次に、本発明を実施するための形態を実施例を用いて説明する。
図１には、家具の一例としてキッチンキャビネットを示す。
キッチンキャビネット１は、上面のカウンター２に、シンク３とコンロ４が設けられており、シンク３の後方には水栓５が立設されている。
また、キッチンキャビネット１の前面には扉６ａ，６ｂが設けられ、扉６ａ，６ｂの奥側は収納空間となっている。また、コンロ４の下方には引出し７が設けられている。
【０００９】
このキッチンキャビネット１の骨組みは、図２のような上部ユニット８で構成され、上部ユニット８の下部には、複数の脚９ａ，９ｂ，９ｃ，９ｄで構成された脚ユニット９が設けられている。
本例では、この脚ユニット９を取り外して、脚ユニット９の部分に、図３に示すように、下部ユニット１０を取り付けて仕様変更ができるように構成されている。
【００１０】
図４に拡大して示すように、この上部ユニット８は、４つのフレーム枠８ａ，８ｂ，８ｃ，８ｄを、複数本の横フレーム８ｅ，８ｅで連結したフレーム構造となっている。
各フレーム枠８ａ，８ｂ，８ｃ，８ｄは、前後一対の縦フレーム８１，８１の上端に、奥行き方向の奥行き上フレーム８２が連結され、一対の縦フレーム８１，８１の下端は、奥行き底フレーム８３で連結されて、各フレーム枠８ａ，８ｂ，８ｃ，８ｄはそれぞれ四角い枠状に形成されている。
【００１１】
また、下部ユニット１０は、図５に拡大して示す。
下部ユニット１０は、４個のフレーム枠１０ａ，１０ｂ，１０ｃ，１０ｄの底側に、前後一対の横フレーム１０ｅ，１０ｅが連結されたフレーム構造となっている。
各フレーム枠１０ａ，１０ｂ，１０ｃ，１０ｄは、前後一対の縦フレーム１０１，１０１と、縦フレーム１０１，１０１間に連結された、上面側の奥行き上フレーム１０２と、底側の奥行き底フレーム１０３で、長方形状の枠状にそれぞれ形成されたものである。
【００１２】
なお、図６には、上部ユニット８のフレーム枠８ａにおける奥行き底フレーム８３のＡ−Ａ線断面拡大図を示す。また、図７には、上部ユニット８のフレーム枠８ｂ，８ｃにおける奥行き底フレーム８３のＢ−Ｂ線拡大断面図を示す。
【００１３】
図６および図７に示すように、奥行き底フレーム８３の本体８３ａの底側には、水平方向に延びて、底板を載置するための底板載置片８３ｂが一体形成され、この底板載置片８３ｂから下方へ垂下状に、一対の垂下片８３ｃ，８３ｃが一体形成され、各垂下片８３ｃの下端には、水平に対向状に延びる水平片８３ｄ，８３ｄが一体形成されており、この底板載置片８３ｂと水平片８３ｄ，８３ｄ間に、凹状の被係合部８３ｅ，８３ｅが形成されている。
【００１４】
一方、図５に示した下部ユニット１０のフレーム枠１０ａにおける奥行き上フレーム１０２の断面を図８にＡ−Ａ線断面として拡大して示し、また、図９には、下部ユニット１０の中央のフレーム枠１０ｂ，１０ｃにおける奥行き上フレーム１０２の断面をＢ−Ｂ線断面として拡大して示す。
【００１５】
下部ユニット１０の奥行き上フレーム１０２のフレーム本体１０２ａの上面には、上方へ立ち上げて立上片１０２ｂが一体形成され、この立上片１０２ｂの上端に、水平に延びる係合部１０２ｃが一体状に突出されており、係合部１０２ｃとフレーム本体１０２ａ間には溝１０２ｄ，１０２ｄが形成されている。
この溝１０２ｄ，１０２ｄ内に、前述した上部ユニット８の水平片８３ｄが係入可能であり、係入された状態では、下部ユニットの係合片１０２ｃ，１０２ｃが上部ユニット８の被係合部８３ｅ，８３ｅ内に係合されるように構成されている。
【００１６】
即ち、上部ユニット８はキッチンの壁面に固定状に取り付けられており、この上部ユニット８に対して、脚ユニット９を取り外した後に、下部ユニット１０を前方側から奥側へ押し込んで、上部ユニット８の被係合部８３ｅ，８３ｅ内に下部ユニットの係合部１０２ｃ，１０２ｃをスライドさせて係合させてゆくことで、下部ユニット１０を上部ユニット８の下部に良好に連結することができるものである。
この連結状態は、図１０にフレーム枠１０ａの連結状態として、また、図１１にフレーム枠１０ｂ，１０ｃの連結状態として示す。
【００１７】
なお、上部ユニット８に対し後発的に下部ユニット１０を連結した時には、図３に示すように、下部ユニット１０の底側に複数のアジャスタボルト１１を設けて、アジャスタボルト１１をキッチンの床面に当接させ、下部ユニット１０の支持強化を図ることができるものである。
このように、脚ユニット９に換えて下部ユニット１０を上部ユニット８に連結することにより、下部ユニット１０内には、前方側へ引き出し可能に３個の引出しを設けることができるため、３個の引出しにより収納量を増やすことができ、ライフスタイルに合わせて下部ユニット１０を取り付けて収納量を増やすことができるものとなる。
【００１８】
なお、逆に、下部ユニット１０から脚ユニット９に変更することも可能であり、ライフスタイルに合わせてキッチンキャビネット１の仕様を容易に変更させることができるものである。
なお、脚ユニット９を構成する各脚９ａ，９ｂ，９ｃ，９ｄも、上部ユニット８の被係合部８３ｅ，８３ｅに係合可能な係合部９２ｃ，９２ｃを備えている。
【００１９】
脚９ｂを例にとって、脚の構造を以下に説明する。
脚９ｂは図１２の斜視図で示すような外観形状となっており、図１３は、脚９ｂの正面図であり、図１４は、脚９ｂの側面図である。また、図１５は、脚９ｂの内部構造を示す縦断面構成図であり、図１６は、脚９ｂの構成部材の分解斜視図である。
【００２０】
脚９ｂは、ボルト９１と、このボルト９１の上端に連結される上端部材９２と、ボルト９１の下端に連結される下端部材９３と、ボルト９１を覆蓋するコの字状断面のコの字カバー９７と、Ｉ字状断面のＩ字カバー９８で構成されている。
上端部材９２には、中央部に上下に貫通してボルト９１が通るボルト孔９２ａが形成されており、上面の幅方向両端側には凹み状に溝９２ｂ，９２ｂが形成されて、その上方が外方へ突出する係合部９２ｃ，９２ｃとなっており、この係合部９２ｃ，９２ｃが、前述した上部ユニット８の被係合部８３ｅ，８３ｅに係合されるものである。
上端部材９２の下部部位には、一対の爪片９２ｄが水平に形成されており、この爪片９２ｄの上にナット９４を配置させることができ、ボルト９１をこのナット９４に螺合させ、ボルト９１を回すことにより、ボルト９１を上下動させることができ、ボルト９１の上下調整を完了した後には、ロックナット９５を上端部材９２の爪片９２ｄの下面に締め付けてロックすることができるものである。
【００２１】
また、ボルト９１の下端に連結される下端部材９３にも、ボルト９１を通すボルト孔９３ａが上下に形成されており、下端部材９３の下面側の傾斜部９３ｂには、横長の長孔９３ｃが形成されている。
この下端部材９３は、ボルト９１を回すことによりキッチンの床面に当接されるものであり、ボルト９１を回して高さ調整した後に、ナット９５を締め付けて固定することができるものである。
なお、長孔９３ｃ内にビスを入れて、床面に下端部材９３を固定することもできるものである。
【００２２】
また、コの字カバー９７の上下端側には、縦方向に長い縦ビス孔９７ａが形成されており、この縦ビス孔９７ａ内にビス９９を入れ、上端部材９２，下端部材９３に形成されているタップ孔９２ｅ内にビス９９を締め付けることで、コの字カバー９７を上端部材９２，下端部材９３に固定することができるように構成されている。
コの字カバー９７には、縦方向に係止部９７ｂ，９７ｂが形成されており、この係止部９７ｂ，９７ｂに、係脱可能に係合できる係合片９８ａ，９８ａがＩ字カバー９８に形成されている。
【００２３】
従って、ボルト９１を回して高さ調整し、ロックナット９５，９６を締め付けた後に、ボルト９１の裏側からコの字カバー９７を被せ、コの字カバー９７の前面に、Ｉ字カバー９８を、係合片９８ａを係止部９７ｂに嵌め込んで連結することができ、コの字カバー９７およびＩ字カバー９８は、その下端を床面に当接させて、ボルト９１および下端部材９３をコの字カバー９７およびＩ字カバー９８で覆蓋して隠すことができるものである。
このように、カバー９７，９８によりボルト９１は隠されるため、すっきりとした外観となる。
なお、脚９ｂの上端の上端部材９２は、カバー９７，９８の上端に露出するが、本例の脚９ｂは、図２に示すように、上部ユニット８の底面の前方側から、ある距離奥側へ行ったところに固定されるため、この部分は極めて見えにくい部分であり、外観の意匠性が損なわれることはない。
【符号の説明】
【００２４】
１  キッチンキャビネット
８  上部ユニット
８ａ，８ｂ，８ｃ，８ｄ  フレーム枠
８ｅ  横フレーム
９  脚ユニット
９ａ，９ｂ，９ｃ，９ｄ  脚
１０  下部ユニット
１０ａ，１０ｂ，１０ｃ，１０ｄ  フレーム枠
１０ｅ  横フレーム
８１  縦フレーム
８２  奥行き上フレーム
８３  奥行き底フレーム
８３ｃ  垂下片
８３ｄ  水平片
８３ｅ  被係合部
９１  ボルト
９２  上端部材
９２ａ  ボルト孔
９２ｂ  溝
９２ｃ  係合部
９２ｄ  爪片
９２ｅ  タップ孔
９３  下端部材
９３ａ  ボルト孔
９３ｃ  長孔
９４，９５，９６  ナット
９７  コの字カバー
９７ａ  縦ビス孔
９７ｂ  係止部
９８  Ｉ字カバー
９８ａ  係合片
９９  ビス
１０１  縦フレーム
１０２  奥行き上フレーム
１０２ａ  フレーム本体
１０２ｂ  立上片
１０２ｃ  係合片
１０２ｄ  溝
１０３  奥行き底フレーム